(57)【要約】【課題】支柱にパネルをしっかりと取付けできるし、その支柱の一部にパネルを取付けしない場合の外観の見栄えが良い手すり構造体とする。【解決手段】支柱１を室内側部分１−１と室外側部分１−２との間にパネル取付用溝５を、長手方向全長に連続して有するものとし、パネル２をパネル取付用溝５内に嵌め込んで取付けるようにして支柱１にパネルをしっかりと取付けできるようにし、支柱１の一部にパネル２を取付けしない場合には支柱１の室外側部分１−２のパネル２を取付けない部分を切断して除去し、残存した室内側部分１−１の室外側面５ａにアタッチメント１０を取付けてパネル取付用溝５が存在しないようにして外観の見栄えを良くする。【選択図】図５
2006257803.tif 000002
【特許請求の範囲】
【請求項１】
隣接した支柱間に亘ってパネルを取付けた手すり構造体であって、
前記支柱は、室内側部分と室外側部分との間にパネル取付用溝を長手方向全長に連続して有し、
このパネル取付用溝にパネルの縦縁部が嵌め込んで取付けられ、
前記支柱のパネル取付用溝にパネルを連続して取付けない場合には、その支柱の室外側部分におけるパネルを取付けない部分を除去し、その除去した部分にアタッチメントを取付けることで支柱におけるパネルを取付けない部分を、パネル取付用溝が存在しないと共に、支柱の他の部分と同様の外観としたことを特徴とする手すり構造体。
【請求項２】
支柱の残存した室内側部分の室外側面に、アタッチメントの室内側面を接してビスで固着し、このアタッチメントの形状を、支柱の室外側部分と同一の横断面形状としてアタッチメントの側面、室外側面が支柱の室外側部分の側面、室外側面と面一となるようにすると共に、アタッチメントの側面と支柱の室内側部分の側面を面一となるようにした請求項１記載の手すり構造体。
【請求項３】
上下方向少なくとも一方向きに開口した凹部を有する横格子を、支柱の残存した室外側部分の上下端部の少なくとも一方に設けて、その凹部とパネル取付用溝が室内外側方向に同一位置で連続するようにし、
この凹部にパネルの上下縁部の少なくとも一方を嵌め込んで取付けた請求項１記載の手すり構造体。
【請求項４】
支柱のパネルよりも室外側に横格子を取付け、この横格子と凹部を有する横格子の外観を同一とした請求項３記載の手すり構造体。
【請求項５】
支柱を、パネル取付用溝を有する支柱本体の室外側に補助体を着脱自在に取付けたものとし、
第１の横格子と、下向き凹部を有する第２の横格子と、下向き凹部と上向き凹部を有する第３の横格子と、上向き凹部を有する第４の横格子と、パネルを備え、
それらを適宜組み合せて構成した請求項１記載の手すり構造体。
【発明の詳細な説明】
【技術分野】
【０００１】
本発明は、バルコニー、テラス、ベランダ、集合住宅の廊下、外階段などに用いる手すり構造体に関する。
【背景技術】
【０００２】
バルコニーの床部材の周縁に用いる手すり構造体としては、例えば特許文献１に開示されたように、隣接した支柱間にパネルを取付けたものが知られている。
【０００３】
【特許文献１】実開平６−６５６７号公報
【発明の開示】
【発明が解決しようとする課題】
【０００４】
前述した従来の手すり構造体は、支柱にパネル取付用溝を、その支柱の上下端部まで連続して長手方向に亘って形成し、このパネル取付用溝にパネルを嵌め込むようにして取付けできるようにしている。
このために、パネルを支柱の上下端部まで取付けせずに上下中間までパネルを取付けした場合には、パネルを取付けしていないパネル取付用溝が露出して見えるので、外観の見栄えが悪い。
【０００５】
本発明の目的は、支柱にパネルをしっかりと取付けできると共に、支柱の一部にパネルを取付けしない場合の外観の見栄えが良い手すり構造体を提供することである。
【課題を解決するための手段】
【０００６】
本発明は、隣接した支柱間に亘ってパネルを取付けた手すり構造体であって、
前記支柱は、室内側部分と室外側部分との間にパネル取付用溝を長手方向全長に連続して有し、
このパネル取付用溝にパネルの縦縁部が嵌め込んで取付けられ、
前記支柱のパネル取付用溝にパネルを連続して取付けない場合には、その支柱の室外側部分におけるパネルを取付けない部分を除去し、その除去した部分にアタッチメントを取付けることで支柱におけるパネルを取付けない部分を、パネル取付用溝が存在しないと共に、支柱の他の部分と同様の外観としたことを特徴とする手すり構造体である。
【０００７】
本発明においては、支柱の残存した室内側部分の室外側面に、アタッチメントの室内側面を接してビスで固着し、このアタッチメントの形状を支柱の室外側部分と同一の横断面形状としてアタッチメントの側面、室外側面が支柱の室外側部分の側面、室外側面と面一となるようにすると共に、アタッチメントの側面と支柱の室内側部分の側面を面一となるようにすることができる。
【０００８】
このようにすれば、アタッチメントを支柱にしっかりと取付けできる。
また、アタッチメントと支柱の室内側部分が連続した外観となると共に、そのアタッチメントと支柱の室外側部分が連続した外観となるから、外観の見栄えが良い。
【０００９】
本発明においては、上下方向少なくとも一方向きに開口した凹部を有する横格子を、支柱の残存した室外側部分の上下端部の少なくとも一方に設けて、その凹部とパネル取付用溝が室内外側方向に同一位置で連続するようにし、
この凹部にパネルの上下縁部の少なくとも一方を嵌め込んで取付けることができる。
【００１０】
このようにすれば、パネルの上下縁部の少なくとも一方を横格子で支持できるから、支柱の一部にパネルを取付けしない場合でもパネルをしっかり取付けできる。
【００１１】
本発明においては、横格子でパネルの上下縁部の少なくとも一方を支持するようにした場合に、支柱のパネルよりも室外側に横格子を取付け、この横格子と凹部を有する横格子の外観を同一とすることができる。
【００１２】
このようにすれば、複数の横格子を備えた手すり構造体とすることができる。
また、横格子の室内側にパネルがあるので、そのパネルによって子供が横格子に足を掛けることができなくなるので、子供が手すり構造体を登ることを防止できる。
【００１３】
本発明においては、支柱を、パネル取付用溝を有する支柱本体の室外側に補助体を着脱自在に取付けたものとし、
第１の横格子と、下向き凹部を有する第２の横格子と、下向き凹部と上向き凹部を有する第３の横格子と、上向き凹部を有する第４の横格子と、パネルを備え、
それらを適宜組み合せて構成することができる。
【００１４】
このようにすれば、隣接した支柱間に複数のパネルを上下に離隔して取付けしたり、支柱の上方部分と下方部分にパネルが無い手すり構造体とすることができる。
【発明の効果】
【００１５】
本発明によれば、支柱の全長にパネル取付用溝が連続して有するので、パネルを支柱全長のいずれの位置においてもしっかりと取付けできる。
また、支柱の一部にパネルを取付けしない場合には、そのパネルの無い部分にパネル取付用溝が存在せずに、支柱の他の部分と同様の外観となるので、パネルを支柱の一部に取付けしない場合の外観の見栄えが良い。
【発明を実施するための最良の形態】
【００１６】
図１に示すように、複数の支柱１と、この隣接した支柱１間に亘って取付けたパネル２で手すり構造体を構成している。
図１に示す実施の形態では、複数の支柱１に亘って格子、例えば横格子３が取付けてあると共に、複数の支柱１の上端部間に亘って手すり笠木４が取付けてある。
図２と図３に示すように、前記パネル２は横格子３よりも室内側に位置し、隣接した支柱１間における横格子３よりも室内側部分を閉塞して室内側から横格子３に手や足を掛けることができないようにして、子どもが手すり構造体に登ることができないようにしてあると共に、子供がくぐり抜けできないようにしてある。
【００１７】
このようにすることで、前述の手すり構造体を床部材の周囲に取付けてテラス、バルコニーなどを構成した場合に、子供が手すり構造体を越えて落下するなどの事故を防止できる。
【００１８】
前記支柱１の側面１ａにはパネル取付用溝５を長手方向全長に亘って有し、そのパネル取付用溝５は支柱１の上下端部まで連続している。
具体的には、支柱１は室内側部分１−１と室外側部分１−２との間にパネル取付用溝５が左右の側面１ａにそれぞれ開口して有している。
このパネル取付用溝５は室内側部分１−１の室外側面５ａと室外側部分１−２の室内側面５ｂとで側方に開口し、支柱１の長手方向全長に亘って連続している。
この支柱１のパネル取付用溝５にパネル２の縦縁部を嵌め込んで取付けてある。例えば、図２に示すように前述の室外側面５ａとパネル２の室内側面との間、前述の室内側面５ｂとパネル２の室外側面との間にガスケット６をそれぞれ装着して取付けてある。
【００１９】
この実施の形態ではパネル２が支柱１の上下端部まで取付けてあるので、図２に示すように手すり笠木４の下面に上枠材７を取付け、この上枠材７の下向き凹部７ａにパネル２の上縁部を嵌め込み、前述と同様にガスケット６を装着して取付けてある。
また、隣接した支柱１の下端部間に亘って下枠材８が取付けてある。例えば、支柱１の側面１ａの下端部にブラケット９を固着し、このブラケット９と下枠材８を固着してある。
この下枠材８の上向き凹部８ａにパネル２の下縁部を嵌め込み、前述と同様にガスケット６を装着して取付けてある。
【００２０】
図４と図５に示すように、パネル２を支柱１の上下中間部まで取付けて支柱１の上方部分にパネル２が無い手すり構造体の場合には、支柱１の室外側部分１−２におけるパネル２を取付けない部分を除去して残存した室内側部分１−１の室外側面５ａを露出させる。
そして、前述の支柱１の除去部分にアタッチメント１０を設け、そのアタッチメント１０の室内側面１０ａを支柱１の室内側部分１−１の室外側面５ａに接して固着して取付け、支柱１のパネル２が無い部分を、パネル取付用溝５が存在しないと共に、支柱１の他の部分とほぼ同一の外観とする。
例えば、支柱１の残存した室内側部分１―１の側面１ａとアタッチメント１０の側面１０ｂとが連続し、その支柱１の室外側面１ｂとアタッチメント１０の室外側面１０ｃが面一となるようにする。
この場合には、手すり笠木４に上枠材７を取付せずに、支柱１の残存した室内側部分１−１とアタッチメント１０とに亘って手すり笠木４が取付けてある。
【００２１】
このようであるから、パネル２を支柱１全長のいずれの位置においてもしっかりと取付けることができると共に、支柱１の一部にパネル２を取付けしない場合の外観の見栄えが良い。
【００２２】
前述したように、支柱１の全長にパネル２を取付けしたり、取付けしない場合に対応するのであれば、前述した構造で良いが、この実施の形態では横格子３を備えているので、支柱１を図６に示すように、支柱本体２０と補助体３０を有するものとして、横格子３を取付けし易いようにしてあると共に、前述の支柱１の室外側部分１−２の上方部分を切断して除去する作業がやり易いようにしてある。
【００２３】
前述の支柱１を図６に基づいて詳細に説明する。
前記支柱本体２０は、室内側部材２１と、その室外側面２１ａに一体的に設けた室外側に向う延出片２２と、この延出片２２の室外側部に一体的に設けた室外側部材２３を備え、この室外側部材２３の室内側面２３ａと前記室内側部材２１の室外側面２１ａとで前述のパネル取付用溝５を形成している。この室内側部材２１が前述の室内側部分１−１で、室外側面２１ａが前述の室外側面５ａである。
前記室内側部材２１の室内側部分にカバー２４が取付けてある。
前記補助体３０は支柱本体２０の室外側面２０ａ、つまり前述の室外側部材２３の室外側面２３ｂに着脱自在に取付けられる。例えば、ビス３１で連結して取付けられる。
この補助体３０の室外側面３０ａが支柱１の室外側面１ｂで、この補助体３０と前記室外側部材２３が前述の支柱１の室外側部分１−２である。
【００２４】
このようであるから、補助部材３０は必要な長さ分だけ用意すると共に、支柱本体２０の延出片２２を室内側部材２１の室外側面２１ａから切断して除去することで、前述の支柱１の室外側部分１−２におけるパネル２が無い部分を除去できるから、その除去が容易である。
【００２５】
前記アタッチメント１０は図７に示すように、支柱本体２０の室内側部材２１の室外側面２１ａに接して連結される。例えばビス１１で連結される。
このアタッチメント１０は室内側板１２と室外側板１３と両側板１４でほぼ矩形断面の中空長尺材で、その室内側板１２にビス１１が螺合される。
このアタッチメント１０の側面１０ｂと室内側部材２１の側面２１ｂが面一に連続し、このアタッチメント１０の室外側外観と前記補助体３０の室外側外観はほぼ同一形状である。
図７に仮想線で示す延出片２２と室外側部材２３が切断して除去され、その室外側部材２３の側面２３ｃとアタッチメント１０の側面１０ｂが面一に重なり合う。
そして、補助体３０の側面３０ｂ、室外側面３０ａがアタッチメント１０の側面１０ｂ、室外側面１０ｃと重なり合うようにしてある。
【００２６】
次に、横格子３について説明する。
図５に示すように、最も上方の横格子３は他の横格子３よりも長く、その室内側部に下向き凹部３ａを有している。
以下の説明においては、前記他の横格子３を第１の横格子３−１とし、下向き凹部３ａを有する横格子３を第２の横格子３−２として説明する。
この最も上方の第２の横格子３−２は、前述の支柱１の室外側部分１−２の残存した部分の上端面に接して設けてあり、その室内側面３ｂを前述の室内側部分１−１の室外側面５ａに接し、ビス１５で固着して取付けてある。
この第２の横格子３−２の下向き凹部３ａにパネル２の上縁部が嵌め込まれて前述と同様にガスケット６を装着して取付けてある。
そして、前述のアタッチメント１０の下端面１０ｄが前記第２の横格子３−２の上面３ｃに当接している。
【００２７】
前記最も上方に位置する第２の横格子３−２以外の第１の横格子３−１は下向き凹部を有しておらず、図５に示すように、前記支柱１の補助体３０の切欠部３２に嵌合し、その室内側面３ｅを補助体３０の切欠部底面３２ａに接し、ビス１６で固着して取付けてある。
例えば、前記補助体３０を図６に示すように室内側板３３と両側面板３４と室外側板３５で囲まれた中空形状とし、その室外側板３５と両側面板３４を切断して除去して切欠部３２とし、残存した室内側板３３を切欠部底面３２ａとする。
図２に示す横格子３は第１の横格子３−１と同一で、同様にして取付けられる。
このようであるから、第１の横格子３−１を補助体３０の切欠部３２に嵌合してしっかりと取付けできる。
【００２８】
前述の実施の形態では、隣接する支柱１間に１枚のパネル２を取付けるようにしたが、隣接する支柱１間に複数のパネル２を取付ける実施の形態を図８、図９、図１０に基づき説明する。
図８に示すように、第１の横格子３−１と第２の横格子３−２との間に第３の横格子３−３を取付け、この第３の横格子３−３と下横枠８との間に第１のパネル２−１を取付けると共に、第３の横格子３−３と第２の横格子３−２との間に第２のパネル２−２を取付ける。
【００２９】
前記第３の横格子３−３は下向き凹部３ａと上向き凹部３ｆを有し、その下向き凹部３ａに第１のパネル２−１の上縁部が嵌め込まれ、ガスケット６を装着して取付けられる。
前記上向き凹部３ｆに第２のパネル２−２の下縁部が嵌め込まれ、ガスケット６を装着して取付けられる。
このようであるから、第１のパネル２−１と第２のパネル２−２をしっかりと取付できる。
前記第１のパネル２−１はアルミパンチングパネル（アルミパネルに多数の小穴を形成したもの）等の通風を有する目隠パネルとすることが好ましく、第２のパネル２−２は透明樹脂板などの透視可能なパネルとして眺望を良くすることが好ましい。
【００３０】
図９と図１０に示すように、支柱本体２０の延出片２２と室外側部材２３における第３の横格子３−３を取付ける部分を切断して除去し、第３の横格子３−３の室内側面３ｇを室内側部材２１の室外側面２１ａに接し、ビス１７で固着して取付ける。
前記第３の横格子３−３は室内側部分の上下寸法が室外側部分の上下寸法より大きく、その上面と下面が段差を有する形状であるので、支柱１の補助体３０の上下端を段差を有する形状とし、その補助体３０の上面、下面が第３の横格子３−３の下面、上面に接するようにしてある。
【００３１】
前記の各実施の形態においてはパネル２を支柱１の下端部まで連続して取付けしたが、図１１、図１２に示すように支柱１の下端部寄りにパネル２が無い手すり構造体としても良い。
この場合には支柱１の下部寄りに第２の横格子３−２を上下反転して上向き凹部を有する横格子とした第４の横格子３−４を取付け、この第４の横格子３−４よりも下方寄りにアタッチメント１０を前述と同様にして取付ける。
また、上の第２の横格子３−２と手すり笠木４との間に第１の横格子３−１を取付けてある。この第１の横格子３−１は前述のものよりも室内外側方向の寸法が長い。
この実施の形態における第１の横格子３−１、第２の横格子３−２、アタッチメント１０の取付けは前述と同様である。第４の横格子３−４の取付け手順は第２の横格子３−２と同様である。
【００３２】
以上述べたように、第１の横格子３−１、第２の横格子３−２、第３の横格子３−３、第４の横格子３−４を備えていると共に、支柱１を支柱本体２０と補助体３０とアタッチメント１０を有するものとし、それらを適宜組み合せることで種々の形態の手すり構造体とすることができる。
【図面の簡単な説明】
【００３３】
【図１】本発明の第１の実施の形態を示す手すり構造体の外観図である。
【図２】図１のＡ−Ａ拡大断面図である。
【図３】図１のＢ−Ｂ拡大断面図である。
【図４】本発明の第２の実施の形態を示す手すり構造体の外観図である。
【図５】図４のＣ−Ｃ拡大断面図である。
【図６】図５のＤ−Ｄ拡大断面図である。
【図７】図５のＥ−Ｅ拡大断面図である。
【図８】本発明の第３の実施の形態を示す手すり構造体の外観図である。
【図９】図８のＦ−Ｆ拡大断面図である。
【図１０】図９のＧ−Ｇ拡大断面図である。
【図１１】本発明の第４の実施の形態を示す手すり構造体の外観図である。
【図１２】図１１のＨ−Ｈ拡大断面図である。
【符号の説明】
【００３４】
１…支柱、１−１…室内側部分、１−２…室外側部分、２…パネル、２−１…第１のパネル、２−２…第２のパネル、３…横格子、３−１…第１の横格子、３−２…第２の横格子、３−３…第３の横格子、３−４…第４の横格子、３ａ…下向き凹部、３ｆ…上向き凹部、５…パネル取付用溝、１０…アタッチメント、２０…支柱本体、３０…補助体。
【図１】
2006257803.tif 000003
【図２】
2006257803.tif 000004
【図３】
2006257803.tif 000005
【図４】
2006257803.tif 000006
【図５】
2006257803.tif 000007
【図６】
2006257803.tif 000008
【図７】
2006257803.tif 000009
【図８】
2006257803.tif 000010
【図９】
2006257803.tif 000011
【図１０】
2006257803.tif 000012
【図１１】
2006257803.tif 000013
【図１２】
2006257803.tif 000014